(57)【要約】      （修正有）【課題】上部に開口を有する箱体に容易に組立可能な箱用シートを提供する。【解決手段】箱用シートは、１枚のシート材から形成され、左右方向に交互に連接され四角筒状に組み立てられる一対の長さ面パネル１及び一対の幅面パネル２と、長さ面パネルの上縁から延出する一対の外フラップ３と、幅面パネルの上縁から延出し外フラップの内側に折り重ねられる一対の内フラップ４とを備え、外フラップの間に開口を有する箱体に組立可能であり、内フラップが、幅方向に延びる折り曲げ容易線４０ａと折り曲げ容易線の両端から延出方向先端側に延びる一対の切断線又は切断容易線とによって画定され、折り曲げ容易線によって上方に折り曲げ可能な舌片４０を内包し、舌片が折り曲げ容易線を基端とする基端部４１と、基端部に連続し基端部より幅広な拡幅部４２とを有し、外フラップが、組立状態で基端部の外側で拡幅部により上方から支持される。【選択図】図２
0003221843.tif 000002
【実用新案登録請求の範囲】
【請求項１】
１枚のシート材から形成され、
左右方向に交互に連接され、四角筒状に組み立てられる一対の長さ面パネル及び一対の幅面パネルと、
上記一対の長さ面パネルの上縁から延出する一対の外フラップと、
上記一対の幅面パネルの上縁から延出し、上記一対の外フラップの内側に折り重ねられる一対の内フラップと
を備え、
上記一対の外フラップの間に開口を有する箱体に組立可能であり、
上記一対の内フラップが、幅方向に延びる折り曲げ容易線と、上記折り曲げ容易線の両端から延出方向先端側に延びる一対の切断線又は切断容易線とによって画定され、上記折り曲げ容易線によって上方に折り曲げ可能な舌片を内包し、
上記舌片が、上記折り曲げ容易線を基端とする基端部と、この基端部に連続し、この基端部より幅広な拡幅部とを有し、
上記一対の外フラップが、組立状態で、上記基端部の外側で上記拡幅部に上方から支持可能に構成される箱用シート。
【請求項２】
上記拡幅部の最大幅が、上記開口の幅の１．１倍以上１．５倍以下である請求項１に記載の箱用シート。
【請求項３】
上記基端部の延出方向長さが、上記シート材の厚さの０．８倍以上１．５倍以下である請求項１又は請求項２に記載の箱用シート。
【請求項４】
上記舌片が上記折り曲げ容易線と平行な先端縁を有し、この先端縁の長さが、上記開口の幅より短い請求項１、請求項２又は請求項３に記載の箱用シート。
【請求項５】
上記折り曲げ容易線、及び上記外フラップと上記長さ面パネルとの境界線が、複数の切断線と、シート材の内面を筋押しして形成された複数の罫線とが交互に連続したリード罫線である請求項１から請求項４のいずれか１項に記載の箱用シート。
【考案の詳細な説明】
【技術分野】
【０００１】
本考案は、箱用シートに関する。
【背景技術】
【０００２】
野菜や果物といった青果は、段ボールシートから形成され、上部に開口を有する箱に収容して輸送及び保管されることが多い。
【０００３】
このような上部に開口を有する箱としては、長側壁、短側壁、長側壁、短側壁の順に折線を介して連設され、各長側壁の上辺に上蓋フラップが設けられ、各短側壁の上辺に差込片を有する紙製の矩形輸送ケースが公知である（実用新案登録第３１７１８１３号公報参照）。この従来の矩形輸送ケースでは、各差込片に上蓋固定フラップが連設されており、この上蓋固定フラップを、上蓋フラップに設けられている差込孔に差し込み係合して上蓋を固定する。
【０００４】
上記従来の矩形輸送ケースでは、このように上蓋を固定するためには、上蓋固定フラップを上蓋フラップの差込孔に差し込む必要があるため、組立作業に手間を要する。
【先行技術文献】
【特許文献】
【０００５】
【特許文献１】実用新案登録第３１７１８１３号公報
【考案の概要】
【考案が解決しようとする課題】
【０００６】
本考案は、このような事情に鑑みてなされたものであり、上部に開口を有する箱体に容易に組立可能な箱用シートの提供を課題とする。
【課題を解決するための手段】
【０００７】
本考案の一態様に係る箱用シートは、１枚のシート材から形成され、左右方向に交互に連接され、四角筒状に組み立てられる一対の長さ面パネル及び一対の幅面パネルと、上記一対の長さ面パネルの上縁から延出する一対の外フラップと、上記一対の幅面パネルの上縁から延出し、上記一対の外フラップの内側に折り重ねられる一対の内フラップとを備え、上記一対の外フラップの間に開口を有する箱体に組立可能であり、上記一対の内フラップが、幅方向に延びる折り曲げ容易線と、上記折り曲げ容易線の両端から延出方向先端側に延びる一対の切断線又は切断容易線とによって画定され、上記折り曲げ容易線によって上方に折り曲げ可能な舌片を内包し、上記舌片が、上記折り曲げ容易線を基端とする基端部と、この基端部に連続し、この基端部より幅広な拡幅部とを有し、上記一対の外フラップが、組立状態で、上記基端部の外側で上記拡幅部に上方から支持可能に構成される。
【０００８】
当該箱用シートは、一対の内フラップが舌片を内包する。当該箱用シートでは、外フラップを内フラップの外側に折り重ねた後に、上記舌片を上方に折り曲げることで、上記一対の外フラップが、上記舌片の基端部の外側で上記舌片の拡幅部に上方から支持可能に構成される。つまり、上記一対の外フラップは、内フラップのうち舌片を除く部分と舌片の拡幅部とに挟まれて固定される。このように当該箱用シートでは、舌片を上方に折り曲げるのみで一対の外フラップを固定することができ、組立時に差し込み作業等を必要としない。従って、当該箱用シートは、上部に開口を有する箱体を容易に組立てられる。
【０００９】
上記拡幅部の最大幅としては、上記開口の幅の１．１倍以上１．５倍以下が好ましい。当該箱用シートでは、組立時に舌片を上方に折り曲げる際、拡幅部が外フラップに下方から当接し、それ自体の撓み等により上方へ抜ける。従って、上記拡幅部の最大幅を上記範囲内とすることで、舌片を上方に折り曲げる作業を容易化しつつ、舌片の拡幅部による外フラップの支持を維持できる。
【００１０】
上記基端部の延出方向長さとしては、上記シート材の厚さの０．８倍以上１．５倍以下が好ましい。このように上記基端部の延出方向長さを上記範囲内とすることで、外フラップをより確実に支持することができる。
【００１１】
上記舌片が上記折り曲げ容易線と平行な先端縁を有し、この先端縁の長さが、上記開口の幅より短いとよい。このように上記舌片の先端縁の長さを上記開口の幅より短くすることで、組立時に舌片を上方に折り曲げる際に先端縁が外フラップに当接しない構成とできる。このため、舌片の先端縁を容易に外フラップの上方へ抜くことができるので、舌片を上方に折り曲げる作業を容易化できる。
【００１２】
上記折り曲げ容易線、及び上記外フラップと上記長さ面パネルとの境界線が、複数の切断線と、シート材の内面を筋押しして形成された複数の罫線とが交互に連続したリード罫線であるとよい。このように上記折り曲げ容易線及び上記境界線をリード罫線とすることで、舌片及び外フラップを折り目に沿って曲げ易くすることができるので、外フラップが舌片により上方から支持される嵌合状態を適切に維持することができる。
【００１３】
ここで、本明細書における「上」等の方向は、当該箱用シートを組み立ててなる箱体の想定される使用状態での方向である。また、「内」及び「外」は、それぞれ箱体の内側及び外側を指す。
【考案の効果】
【００１４】
本考案の箱用シートは、上部に開口を有する箱体を容易に組立可能である。
【図面の簡単な説明】
【００１５】
【図１】図１は、本考案の一態様に係る箱用シートを示す模式的平面図（展開図）である。
【図２】図２は、図１の箱用シートを組み立てて得られる箱体を示す模式的斜視図である。
【図３】図３は、図１の箱用シートの下フラップの模式的部分拡大図である。
【図４】図４は、図１の箱用シートの組立途中の状態を示す模式的斜視図である。
【考案を実施するための形態】
【００１６】
以下、本考案の一実施形態に係る箱用シートについて適宜図面を参照しつつ説明する。
【００１７】
本考案の一実施形態に係る箱用シートは、図１に示すように、１枚のシート材から形成される。なお、図１において、太い実線はシート材を切断した切断線を示し、細い実線はシート材に筋押しして形成される罫線を示す。
【００１８】
当該箱用シートを形成するシート材としては、例えば段ボールシート、プラスチックボード、ボール紙等を用いることができ、中でも段ボールシートが好適に用いられる。上記ダンボールシートとしては、１枚の中芯の両側を一対のライナーで挟み込んだものだけでなく、３枚のライナーの間にそれぞれ中芯が挟み込まれたいわゆるダブルフルートであってもよく、あるいは中芯の片側にのみライナーが貼着されたいわゆる片面段ボールであってもよい。
【００１９】
上記シート材が段ボールシートである場合、シート材の厚さの下限としては、強度の観点から、３ｍｍが好ましい。一方、シート材の厚さの上限としては、特に限定されないが、箱体への組立の容易性から８ｍｍが好ましい。
【００２０】
当該箱用シートは、左右方向（図１ではｙ方向）に交互に連接され、四角筒状に組み立てられる一対の長さ面パネル１及び一対の幅面パネル２と、一対の長さ面パネル１の上縁から延出する一対の外フラップ３と、一対の幅面パネル２の上縁から延出し、一対の外フラップ３の内側に折り重ねられる一対の内フラップ４と、一対の長さ面パネル１及び一対の幅面パネル２の下縁から延出し、組立状態で四角筒状体の下端を封止する底部を形成する一対の外底フラップ５及び一対の内底フラップ６とを備える。また、当該箱用シートは、一方の側端に配設される長さ面パネル１の側縁から延出する糊代部７を有する。当該箱用シートは、図２に示すように、一対の外フラップ３の間に開口８を有する箱体に組立可能である。
【００２１】
＜長さ面パネル及び幅面パネル＞
長さ面パネル１と幅面パネル２とは方形状である。また、一対の長さ面パネル１は同等の大きさとされ、一対の幅面パネル２は同等の大きさとされる。
【００２２】
長さ面パネル１の上下方向長さ（図１のｘ方向の長さ）と、幅面パネル２の上下方向長さとは等しい。また、長さ面パネル１の幅（図１のｙ方向の長さ）は、幅面パネル２の幅以上である。このように幅面パネル２を短くすることで、この内フラップ４に内包される舌片４０（後述）により外フラップ３を支持し易くできる。
【００２３】
なお、長さ面パネル１及び幅面パネル２の上下方向長さ、長さ面パネル１の幅、並びに幅面パネル２の幅は、当該箱用シートにより組み立てられる箱体に収容が想定される収容物の大きさや個数に対応できるように適宜決定される。
【００２４】
＜外フラップ＞
一対の外フラップ３はそれぞれ方形状であり、同等の大きさとされる。
【００２５】
外フラップ３の側縁は、組立状態で、後述する舌片４０の折り曲げ容易線４０ａよりも外側に位置するように構成される。つまり、外フラップ３の幅（図１のｙ方向の長さ）が上述の構成となるように調整されている。外フラップ３の幅は、上述の構成となる限り特に限定されないが、長さ面パネル１の幅と同等とすることが好ましい。このように外フラップ３の幅を長さ面パネル１の幅と同等とすることで、舌片４０により外フラップ３を支持し易くできる。
【００２６】
外フラップ３の延出方向長さ（図１のｘ方向の長さ）は、幅面パネル２の幅の１／２未満とされる。このように外フラップ３の延出方向長さを幅面パネル２の幅の１／２未満とすることで、当該箱用シートにより組み立てられる箱体が、図２に示すように、一対の外フラップ３の間に開口８を有する構成とできる。なお、開口８の幅は（幅面パネル２の幅）−２×（外フラップ３の延出方向長さ）で与えられる。
【００２７】
開口８の幅の下限としては、幅面パネル２の幅の０．３倍が好ましく、０．４倍がより好ましい。一方、開口８の幅の上限としては、幅面パネル２の幅の０．６倍が好ましく、０．５倍がより好ましい。開口８の幅が上記下限未満であると、開口８の面積が狭くなるため、収容物に対する通気性等に支障をきたすおそれがある。逆に、開口８の幅が上記上限を超えると、外フラップ３及び内フラップ４により形成される上蓋面が小さくなり過ぎ、当該箱用シートにより組み立てられる箱体を上下に積み重ねて使用することが困難となるおそれや、開口８が大きくなり過ぎて収容物が落下するおそれがある。なお、開口８の幅は、上述のように外フラップ３の延出方向長さで調整できる。
【００２８】
外フラップ３と長さ面パネル１との境界線３ａは、量産性等を考慮して片面を筋押しして形成された罫線とすることもできるが、複数の切断線と、シート材の内面を筋押しして形成された複数の罫線とが交互に連続したリード罫線とすることが好ましい。このように境界線３ａをリード罫線とすることで、外フラップ３を折り目に沿って曲げ易くすることができるので、外フラップ３が舌片４０により上方から支持される嵌合状態を適切に維持することができる。
【００２９】
＜内フラップ＞
一対の内フラップ４はそれぞれ方形状であり、同等の大きさとされる。
【００３０】
内フラップ４の側縁は、組立状態で、外フラップ３と内フラップ４とが重なる領域を有するような位置とされる。つまり、内フラップ４の幅（図１のｙ方向の長さ）が上述の構成となるように調整されている。内フラップ４の幅は、上述の構成となる限り特に限定されないが、幅面パネル２の幅と同等とすることが好ましい。このように内フラップ４の幅を幅面パネル２の幅と同等とすることで、外フラップ３と内フラップ４とが重なる領域を確保し、外フラップ３を支持し易くすることができる。
【００３１】
内フラップ４の延出方向長さ（図１のｘ方向の長さ）は、特に限定されないが、シート材の利用効率の観点から、外フラップ３の延出方向長さと同等とすることが好ましい。
【００３２】
（舌片）
一対の内フラップ４は、舌片４０を内包する。舌片４０は、図１に示すように、幅方向に延びる折り曲げ容易線４０ａと、折り曲げ容易線４０ａと平行な先端縁４０ｂと、折り曲げ容易線４０ａの両端から延出方向先端側に延びる一対の切断線４０ｃとによって画定され、折り曲げ容易線４０ａによって上方に折り曲げ可能である。
【００３３】
舌片４０は、図３に示すように、折り曲げ容易線４０ａを基端とする基端部４１と、この基端部４１に連続し、この基端部４１より幅広な拡幅部４２とを有する。また、図２に示すように、一対の外フラップ３は、組立状態で、基端部４１の外側で拡幅部４２に上方から支持可能に構成される。
【００３４】
折り曲げ容易線４０ａは、内フラップ４と幅面パネル２との境界線と平行に設けられる。また、折り曲げ容易線４０ａの長さは開口８の幅以下とされ、折り曲げ容易線４０ａは組立状態で、一対の外フラップ３の間に収まるように配置される。その際、折り曲げ容易線４０ａは、開口８の幅方向の中央を基準として左右対称であるとよい。
【００３５】
折り曲げ容易線４０ａの上記境界線からの距離の下限としては、内フラップ４の延出方向長さの０．２倍が好ましく、０．３倍がより好ましい。一方、折り曲げ容易線４０ａの上記境界線からの距離の上限としては、内フラップ４の延出方向長さの０．６倍が好ましく、０．５倍がより好ましい。折り曲げ容易線４０ａの上記境界線からの距離が上記下限未満であると、箱体の上蓋面が小さくなり過ぎ、当該箱用シートにより組み立てられる箱体を上下に積み重ねて使用することが困難となるおそれがある。逆に、折り曲げ容易線４０ａの上記境界線からの距離が上記上限を超えると、舌片４０の面積が不足し、舌片４０による外フラップ３の支持が困難となるおそれがある。
【００３６】
折り曲げ容易線４０ａは、複数の切断線と、シート材の内面を筋押しして形成された複数の罫線とが交互に連続したリード罫線であるとよい。このように折り曲げ容易線４０ａをリード罫線とすることで、舌片４０を折り目に沿って曲げ易くすることができるので、外フラップ３が舌片４０により上方から支持される嵌合状態を適切に維持することができる。
【００３７】
先端縁４０ｂは、図２では、内フラップ４の先端縁を兼ねているが、これは必須の構成ではなく、舌片４０の先端縁４０ｂを内フラップ４に内包する構成、つまり舌片４０が内フラップ４の一部をくりぬいた構成とすることもできる。この場合、一対の切断線４０ｃの延出方向側（折り曲げ容易線４０ａとは反対側）の端部同士が接続されて先端縁４０ｂが構成される。
【００３８】
舌片４０の先端縁４０ｂの長さが、開口８の幅より短く、一対の外フラップ３の間に収まるように配置されるとよい。このように舌片４０の先端縁４０ｂの長さを開口８の幅より短くすることで、組立時に舌片４０を上方に折り曲げる際に先端縁４０ｂが外フラップ３に当接しない構成とできる。このため、舌片４０の先端縁４０ｂを容易に外フラップ３の上方へ抜くことができるので、舌片４０を上方に折り曲げる作業を容易化できる。また、舌片４０の先端縁４０ｂが一対の外フラップ３の間に収まるように配置される場合、先端縁４０ｂは、開口８の幅方向の中央を基準として左右対称であるとよい。
【００３９】
折り曲げ容易線４０ａを基端とする基端部４１は、組立状態で、一対の外フラップ３の間に収まるように設けられる。一方、拡幅部４２は、基端部４１より幅広で、少なくとも拡幅部４２の基端部４１側の幅は、開口８の幅より大きい。つまり、折り曲げ容易線４０ａから先端縁４０ｂの方向に見て、開口８の幅以下の部分が基端部４１であり、舌片４０のうち、基端部４１より先端縁４０ｂ側が拡幅部４２である。
【００４０】
基端部４１の延出方向長さ（図１のｘ方向の長さ）の下限としては、シート材の厚さの０．８倍が好ましく、１．０倍がより好ましい。一方、基端部４１の延出方向長さの上限としては、シート材の厚さの１．５倍が好ましく、１．３倍がより好ましい。図２に示すように、組立状態で、外フラップ３は、基端部４１の外側を通過し、拡幅部４２により上方から支持可能に構成される。つまり、組立状態で、外フラップ３は、拡幅部４２と、内フラップ４のうち舌片４０を除いた部分との間隙に挟み込まれることになり、基端部４１の延出方向長さは、この外フラップ３を挟み込む間隙の幅に対応する。このため、基端部４１の延出方向長さが上記下限未満であると、外フラップ３が上記間隙に収まらず、拡幅部４２により上方から支持することが困難となるおそれがある。逆に、基端部４１の延出方向長さが上記上限を超えると、拡幅部４２により上方から支持する力が十分に加わらず、外フラップ３を十分に固定できないおそれがある。
【００４１】
基端部４１に連続する拡幅部４２は、図３に示すように、基端部４１側の端縁（図３の第１端縁４２ａ）が、基端部４１との境界から折り曲げ容易線４０ａと平行に延びているとよい。拡幅部４２の第１端縁４２ａは、組立状態で、外フラップ３に当接し、上方から支持する部分となるから、この第１端縁４２ａを折り曲げ容易線４０ａと平行とすることで、外フラップ３に当接する部分の長さを確保し、外フラップ３を確実に支持することができる。
【００４２】
また、拡幅部４２は、図３に示すように、先端縁４０ｂから基端部４１側へ向かってその幅が漸増する領域（図３の第２端縁４２ｂに対応する領域）を有するとよい。当該箱用シートを箱体に組み立てる際、拡幅部４２は、外フラップ３の下方から上方へ外フラップ３と接触しながら通過する。このとき、拡幅部４２は先端縁４０ｂ側から先に外フラップ３の下方から上方へ通過するので、先端縁４０ｂ側の幅を小さくしておくことで、拡幅部４２を外フラップ３の下方から上方へ通過させ易くすることができる。
【００４３】
拡幅部４２の最大幅の下限としては、開口８の幅の１．１倍が好ましく、１．２倍がより好ましい。一方、拡幅部４２の最大幅の上限としては、開口８の幅の１．５倍が好ましく、１．３倍がより好ましい。拡幅部４２の最大幅が上記下限未満であると、舌片４０による外フラップ３の支持が困難となるおそれがある。逆に、拡幅部４２の最大幅が上限を超えると、組立時に拡幅部４２を外フラップ３の下方から上方へ通過させることが困難となり、当該箱用シートの組立容易性が十分に得られないおそれがある。
【００４４】
なお、舌片４０は、図２に示すように、シート材の反力によって傾斜角９０°未満の角度で先端縁４０ｂ側が上方へ傾き易い。しかし、その傾斜角は比較的自由に変化し得る。例えば当該箱用シートを用いて複数の箱体を組み立てた場合、１の箱体の上部に他の箱体を積み重ねると、上側の箱体の重さにより舌片４０は、外フラップ３に沿うように倒れる。従って、箱体を積み重ねる場合にあっても、舌片４０が支障となることはない。なお、箱体を積み重ねて使用する場合は、舌片４０が外フラップ３に沿って倒れ易いように基端部４１の延出方向長さをシート材の厚さの１．０倍以上とすることが好ましい。
【００４５】
＜外底フラップ及び内底フラップ＞
一対の外底フラップ５及び一対の内底フラップ６は、上記箱体の底部を閉塞可能に構成されている。
【００４６】
具体的には、外底フラップ５は、一対の外底フラップ５の先端縁同士を突き合わせ可能に構成され、外底フラップ５の延出方向長さ（図１のｘ方向の長さ）は、例えば幅面パネル２の幅の１／２とされる。これにより上記箱体の底部を閉塞できる。
【００４７】
一方、内底フラップ６の延出方向長さは、特に限定されないが、外底フラップ５の長さと同等とできる。
【００４８】
なお、外底フラップ５及び内底フラップ６の幅（図１のｙ方向の長さ）は、特に限定されないが、それぞれ延出する長さ面パネル１及び幅面パネル２の幅と同等とすることが好ましい。
【００４９】
一対の外底フラップ５及び一対の内底フラップ６は、組立時、それぞれ延出する長さ面パネル１及び幅面パネル２に対して直角に折り曲げられ、内底フラップ６が内側となる用に重ね合わされて箱体の底部を形成する。
【００５０】
＜糊代部＞
糊代部７は、左右方向に交互に連接される一対の長さ面パネル１及び一対の幅面パネル２の一方の側端と他方の側端とを連結するために設けられている。つまり、左右方向に連接される一対の長さ面パネル１及び一対の幅面パネル２を四角筒状に組み立てると、糊代部７が設けられていない他方の側端に位置する幅面パネル２が、糊代部７に当接可能となる。この幅面パネル２の当接部分を糊代部７に貼着することで一対の長さ面パネル１及び一対の幅面パネル２を無端状に構成できる。あるいは、貼着に代えてワイヤー接合等により結合してもよい。
【００５１】
＜箱体の組立方法＞
当該箱シートを箱体に組み立てる箱体の組立方法は、四角筒状部組立工程と、底部組立工程と、蓋部組立工程とを備える。
【００５２】
（四角筒状部組立工程）
四角筒状部組立工程では、左右方向に交互に連接される一対の長さ面パネル１及び一対の幅面パネル２を四角筒状に組み立てる。
【００５３】
具体的には、以下の手順による。まず、左右方向に交互に連接される一対の長さ面パネル１及び一対の幅面パネル２のうち、一方の側端に位置する長さ面パネル１を、隣接する幅面パネル２の内面側に折り重ね、他方の側端に位置する幅面パネル２を、隣接する長さ面パネル１の内面側に折り重ねる。そして糊代部７を幅面パネル２の左右方向他方側（長さ面パネル１との連接側と反対側）の内面に貼着する。これにより、一対の長さ面パネル１及び一対の幅面パネル２が無端状に接続される。当該箱用シートは、この状態でユーザ（箱体の使用者）に提供される。幅面パネル２への糊代部７の貼着は、例えば接着剤、ステープラー等を用いて行うことができる。
【００５４】
次に、無端状に接続された一対の長さ面パネル１及び一対の幅面パネル２を四角筒状に広げる。これにより、箱体の側面が四角筒状に組み立てられる。
【００５５】
（底部組立工程）
底部組立工程では、一対の外底フラップ５及び一対の内底フラップ６により箱体の底部を組み立てる。
【００５６】
具体的には、以下の手順による。まず、一対の内底フラップ６を幅面パネル２に対して直角になるように折り曲げる。次に、その外面に接するように一対の外底フラップ５を長さ面パネル１に対して直角になるように折り曲げる。一対の外底フラップ５は、先端縁同士を突き合わせ可能に構成されているので、この突き合わせ部に例えば封函テープを貼着することで、底部が形成される。
【００５７】
（蓋部組立工程）
蓋部組立工程では、一対の外フラップ３及び一対の内フラップ４により開口８を有する箱体の蓋部を組み立てる。
【００５８】
具体的には、以下の手順による。まず、一対の内フラップ４を幅面パネル２に対して直角になるように折り曲げる。このとき、舌片４０は、内フラップ４の折り曲げと連動して幅面パネル２に対して直角となる。つまり、舌片４０は折り曲げ容易線４０ａで折り曲げられていない。また、その外面に接するように一対の外フラップ３を長さ面パネル１に対して直角に折り曲げる。
【００５９】
この段階で、図４に示すように、一対の外フラップ３の間に開口８が形成される。また、舌片４０は拡幅部４２の一部が一対の外フラップ３に下方から当接している。この状態から、舌片４０を折り曲げ容易線４０ａによって上方に折り曲げる。このとき、拡幅部４２の外フラップ３に下方から当接している部分は、それ自体の撓みや外フラップ３が持ち上がることにより、外フラップ３の上方へと移動する。この折り曲げにより、図２に示すように、一対の外フラップ３が、舌片４０の基端部４１の外側で拡幅部４２に上方から支持可能に構成される。
【００６０】
なお、舌片４０は、一対の内フラップ４それぞれに内包されているので、それぞれの舌片４０に対して上述の手順を行う。
【００６１】
以上のようにして、当該箱シートを箱体に組み立てることができる。なお、底部組立工程と、蓋部組立工程とは、順序を問わず、蓋部組立工程を先に行うこともできる。
【００６２】
＜利点＞
当該箱用シートは、一対の内フラップ４が舌片４０を内包する。当該箱用シートでは、外フラップ３を内フラップ４の外側に折り重ねた後に、舌片４０を上方に折り曲げることで、一対の外フラップ３が、舌片４０の基端部４１の外側で舌片４０の拡幅部４２に上方から支持可能に構成される。つまり、一対の外フラップ３は、内フラップ４のうち舌片４０を除く部分と舌片４０の拡幅部４２とに挟まれて固定される。このように当該箱用シートでは、舌片４０を上方に折り曲げるのみで一対の外フラップ３を固定することができ、組立時に差し込み作業等を必要としない。従って、当該箱用シートは、上部に開口８を有する箱体を容易に組立てられる。
【００６３】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００６４】
上記実施形態では、舌片が折り曲げ容易線、一対の切断線により画定される場合を説明したが、切断線に代えて切断容易線を用いることもできる。この切断容易線は、例えば間隔を空けて配設される複数の切断線によって形成されるミシン目とできる。この切断容易線は、当該箱用シートを箱体に組み立てる際に切断される。
【００６５】
上記実施形態では、箱用シートが糊代部を有し、この糊代部への貼着により箱体を組み立てる構成を説明したが、箱体を組み立てる方法はこれに限定されない。例えば封函テープの貼着により構成することもできる。この場合、上記糊代部は不要とできる。
【００６６】
また、箱体の底部を形成するための具体的な構成は上記実施形態の構成に限定されるものではない。例えば当該箱用シートは、一方の長さ面パネルの下縁から延出する１つの底フラップによって底部が形成されてもよい。
【産業上の利用可能性】
【００６７】
以上のように、本考案の箱シートは、上部に開口を有する箱体を容易に組立てることができる。
【符号の説明】
【００６８】
１  長さ面パネル
２  幅面パネル
３  外フラップ
３ａ  境界線
４  内フラップ
４０  舌片
４０ａ  折り曲げ容易線
４０ｂ  先端縁
４０ｃ  切断線
４１  基端部
４２  拡幅部
４２ａ  第１端縁
４２ｂ  第２端縁
５  外底フラップ
６  内底フラップ
７  糊代部
８  開口
【図１】
0003221843.tif 000003
【図２】
0003221843.tif 000004
【図３】
0003221843.tif 000005
【図４】
0003221843.tif 000006